(57)【要約】      （修正有）【課題】燃費の向上を担保しつつ、フューエルカットの復帰時における電力の消費量を抑制可能なハイブリッド車両を提供する。【解決手段】ハイブリッド車両１は、エンジン２と、エンジン２の駆動を補助することが可能なモータージェネレーター３と、加速操作が入力されるアクセルペダル３７と、アクセルペダル３７への加速操作が未入力の場合には、エンジン２への燃料の供給を停止させるフューエルカット制御を行うフューエルカット制御部４１と、フューエルカット制御の実行中に、フューエルカット制御の終了条件が成立しているか否かを判断する終了判断部４２と、を備えている。終了判断部４２が第一成立類型の成立を判断した場合には、フューエルカット制御を継続し、かつモータージェネレーター３に駆動力を出力させて前記エンジン２の回転数を目標回転数に制御し、第二成立類型の成立を判断した場合には、エンジン２への燃料の供給を再開させる。【選択図】図１
2019209823.tif 000002
【特許請求の範囲】
【請求項１】
内燃機関と、
前記内燃機関の駆動を補助することが可能な電動機と、
加速操作が入力される入力部と、
前記入力部への前記加速操作が未入力の場合には、前記内燃機関への燃料の供給を停止させるフューエルカット制御を行うフューエルカット制御部と、
前記フューエルカット制御の実行中に、前記フューエルカット制御の終了条件が成立しているか否かを判断する終了判断部と、を備え、
前記終了条件は、前記加速操作が前記入力部に入力されたことを含む第一成立類型と、前記加速操作が前記入力部に入力されたか否かに依らない第二成立類型と、を有し、
前記フューエルカット制御部は、
前記終了判断部が前記第一成立類型の成立を判断した場合には、前記フューエルカット制御を継続し、かつ前記電動機に駆動力を出力させて前記内燃機関の回転数を目標回転数に制御し、
前記終了判断部が前記第二成立類型の成立を判断した場合には、前記内燃機関への燃料の供給を再開させるハイブリッド車両。
【請求項２】
前記フューエルカット制御部は、前記電動機に駆動力を出力させて前記内燃機関の回転数を目標回転数に制御している最中に、前記内燃機関のクランク軸の出力トルクが目標トルクより大きい場合には、前記電動機からの駆動力の出力を停止し、前記内燃機関への燃料の供給を再開させる請求項１に記載のハイブリッド車両。
【発明の詳細な説明】
【技術分野】
【０００１】
本発明は、ハイブリッド車両に関する。
【背景技術】
【０００２】
減速時または制動時に内燃機関への燃料の供給を停止するとともに、電動機による回生制動を行うパラレルハイブリッド車両の制御装置が知られている。このハイブリッド車両は、フューエルカットの復帰時に、内燃機関の回転数が目標アイドル回転数以下になるか否かを判定し、内燃機関の回転数が目標アイドル回転数以下になる場合には、目標アイドル回転数を維持するように蓄電池から電動機へ電力を供給して内燃機関の駆動を補助する（例えば、特許文献１を参照。）。
【先行技術文献】
【特許文献】
【０００３】
【特許文献１】特開平１０−２０１０１２号公報
【発明の概要】
【発明が解決しようとする課題】
【０００４】
特許文献１に記載のように、フューエルカットの復帰時に、蓄電池から電動機へ電力を供給して内燃機関の駆動を補助する制御が、高頻度で繰り返された場合には、蓄電池の電力の消費、消耗が増大し、ひいては蓄電池の残量が低下する虞がある。蓄電池の残量が低下して不足した場合には、電動機を駆動させて内燃機関の駆動を補助する制御は、実行が難しくなる。電動機を駆動させて内燃機関の駆動を補助する制御が実行されない場合には、ハイブリッド車両の燃費や、ドライバビリティ（Driveability、運転のしやすさ、運転性）が悪化してしまう。
【０００５】
そこで、本発明は、燃費の向上を担保しつつ、フューエルカットの復帰時における電力の消費量を抑制可能なハイブリッド車両を提供することを目的とする。
【課題を解決するための手段】
【０００６】
前記の課題を解決するため本発明に係るハイブリッド車両は、内燃機関と、前記内燃機関の駆動を補助することが可能な電動機と、加速操作が入力される入力部と、前記入力部への前記加速操作が未入力の場合には、前記内燃機関への燃料の供給を停止させるフューエルカット制御を行うフューエルカット制御部と、前記フューエルカット制御の実行中に、前記フューエルカット制御の終了条件が成立しているか否かを判断する終了判断部と、を備え、前記終了条件は、前記加速操作が前記入力部に入力されたことを含む第一成立類型と、前記加速操作が前記入力部に入力されたか否かに依らない第二成立類型と、を有し、前記フューエルカット制御部は、前記終了判断部が前記第一成立類型の成立を判断した場合には、前記フューエルカット制御を継続し、かつ前記電動機に駆動力を出力させて前記内燃機関の回転数を目標回転数に制御し、前記終了判断部が前記第二成立類型の成立を判断した場合には、前記内燃機関への燃料の供給を再開させる。
【発明の効果】
【０００７】
本発明によれば、燃費の向上を担保しつつ、フューエルカットの復帰時における電力の消費量を抑制可能なハイブリッド車両を提供できる。
【図面の簡単な説明】
【０００８】
【図１】本発明の実施形態に係るハイブリッド車両のブロック図。
【図２】本発明の実施形態に係るハイブリッド車両が実行するフューエルカット制御のアルゴリズム（算法）を表現したフローチャート。
【図３】本発明の実施形態に係るハイブリッド車両が実行するフューエルカット制御を表現したタイミングチャートであり、終了条件の第一成立類型が成立した場合のタイミングチャート。
【図４】本発明の実施形態に係るハイブリッド車両が実行するフューエルカット制御を表現したタイミングチャートであり、終了条件の第二成立類型が成立した場合のタイミングチャート。
【発明を実施するための形態】
【０００９】
本発明に係るハイブリッド車両の実施形態について図１から図４を参照して説明する。なお、複数の図面中、同一または相当する構成には同一の符号が付されている。
【００１０】
図１は、本発明の実施形態に係るハイブリッド車両のブロック図である。
【００１１】
図１に示すように、本実施形態に係るハイブリッド車両１は、複数の動力源、つまり内燃機関２（以下「エンジン２」という。）と、電動発動機３（Motor Generator、MG、以下「モータージェネレーター３」という。）と、を備えている。ハイブリッド車両１は、運転条件に応じてエンジン２とモータージェネレーター３とを複合的に用いて走行する。ハイブリッド車両１は、例えば、発進時や加速時には、モータージェネレーター３を力行させてエンジン２の駆動力を補助する一方、慣性走行時や制動時には、モータージェネレーター３を回生させて発電を行い、余剰の運動エネルギーを電力に変換する。ハイブリッド車両１は、例えば、普通乗用車、バス、トラックなどを含む。
【００１２】
ハイブリッド車両１は、一対の駆動輪６と、エンジン２と、エンジン２の駆動を補助することが可能なモータージェネレーター３と、エンジン２の駆動力およびモータージェネレーター３の駆動力を変速して駆動輪６へ伝達する変速機７と、エンジン２と変速機７との間、かつモータージェネレーター３と変速機７との間に設けられて内燃機関２の駆動力およびモータージェネレーター３の駆動力の伝達と遮断とを切り替えるクラッチ８と、変速機７からそれぞれの駆動輪６へ駆動力を振り分けて伝達する差動歯車９と、を備えている。
【００１３】
また、ハイブリッド車両１は、モータージェネレーター３の力行で消費される電力を蓄え、かつモータージェネレーター３の回生で発電した電力を蓄える高電圧バッテリー１１と、エンジン２、およびモータージェネレーター３の運転制御を行う制御部１２と、を備えている。
【００１４】
エンジン２は、ディーゼルエンジンやガソリンエンジンである。エンジン２は、１つ以上の気筒内で燃料を燃焼させて熱エネルギーを発生させ、この熱エネルギーでクランクシャフト１５を回転駆動させる。つまり、エンジン２の駆動力は、クランクシャフト１５から出力される。
【００１５】
モータージェネレーター３は、クランキングを行う機能も有している。なお、エンジン２の駆動を補助する限りにおいて、ハイブリッド車両１は、モータージェネレーター３に代えて、発動機としての機能のない電動機（Motor、モーター）を備えていても良い。
【００１６】
エンジン２とモータージェネレーター３との間には、動力伝達機構１６が設けられている。動力伝達機構１６は、エンジン２とモータージェネレーター３との間で相互に駆動力を伝える。動力伝達機構１６は、モータージェネレーター３の出力軸１７に設けられる第一プーリー２１と、エンジン２の出力軸であるクランクシャフト１５に設けられる第二プーリー２２と、第一プーリー２１と第二プーリー２２との間に架け渡される無端状のベルト２３と、を備えている。ベルト２３は、エンジン２の駆動を補助するモータージェネレーター３の駆動力（出力トルク、力行トルク）をエンジン２へ伝達することが可能な一方で、ハイブリッド車両１の慣性走行時や制動時には、エンジン２側からモータージェネレーター３へ駆動力を伝えてモータージェネレーター３を回生させることが可能である。
【００１７】
なお、動力伝達機構１６は、２つのプーリー１５、１６、およびベルト２３の代わりに、互いに噛み合わされる複数のギヤを有するギヤボックスなどを用いて動力を伝達しても良い。また、動力伝達機構１６は、エンジン２とモータージェネレーター３との間で駆動力を伝達、または遮断する第二クラッチ（図示省略）を備えていても良い。
【００１８】
クランクシャフト１５の一方の端部には第二プーリー２２が設けられ、クランクシャフト１５の他方の端部にはクラッチ８が設けられている。
【００１９】
モータージェネレーター３は、エンジン２から駆動輪６へ伝達される駆動力の向き、およびモータージェネレーター３から駆動輪６へ伝達される駆動力の向きにおいて、エンジン２より上流側に配置されている。
【００２０】
なお、モータージェネレーター３は、クラッチ８越しに変速機７に接続されているのであれば、エンジン２とクラッチ８との間に設けられていても良い。換言すると、モータージェネレーター３は、エンジン２から駆動輪６へ伝達される駆動力の向き、およびモータージェネレーター３から駆動輪６へ伝達される駆動力の向きにおいて、クラッチ８よりも上流側に配置されているのであれば、エンジン２とクラッチ８との間に設けられていても良い。この場合、エンジン２、モータージェネレーター３、クラッチ８、および変速機７は、この順に直列に接続され、かつエンジン２とモータージェネレーター３との間に追加のクラッチ（第二クラッチ）が設けられていても良い。
【００２１】
変速機７は、エンジン２およびモータージェネレーター３の駆動力をトルクや回転数、回転方向を変えて差動歯車９へ伝達する。変速機７は、例えばオートメイテッドマニュアルトランスミッションである。変速機７は、減速比が異なる複数の歯車の組を備えている。また、変速機７は、エンジン２の駆動力およびモータージェネレーター３の駆動力を駆動輪６へ伝達しない状態、つまり中立（ニュートラル）状態をとることができる。なお、変速機７は、ハイブリッド車両１の慣性走行時や制動時には、駆動輪６側からエンジン２およびモータージェネレーター３へ駆動力を伝達する。
【００２２】
クラッチ８は、エンジン２の出力軸、つまりクランクシャフト１５の一方の端部に接続されている。クラッチ８は、変速機７の自動変速制御に応じて接続されたり切断されたりする。
【００２３】
高電圧バッテリー１１は、例えば電圧４８ボルトのリチウムイオンバッテリーやニッケル水素バッテリーである。高電圧バッテリー１１の負荷側には、モータージェネレーター３の他に、ＤＣ／ＤＣコンバーター２６を介して負荷としての車両電装品２７、低電圧バッテリー２８、およびスターターモーター２９が接続されている。高電圧バッテリー１１の電力は、ＤＣ／ＤＣコンバーター２６で降圧されて、車両電装品２７、低電圧バッテリー２８、およびスターターモーター２９へ供給される。
【００２４】
車両電装品２７は、例えば、電動エアコンディショナーや、電動油圧ポンプである。
【００２５】
低電圧バッテリー２８は、例えば電圧１２ボルトの鉛蓄電池である。
【００２６】
制御部１２は、いわゆるECM（Engine Control Module）である。制御部１２は、信号線３１を介してエンジン２、モータージェネレーター３、高電圧バッテリー１１、低電圧バッテリー２８、スターターモーター２９に接続されている。制御部１２は、モータージェネレーター３の運転を制御するＭＧコントローラー３２を含んでいる。
【００２７】
また、制御部１２は、信号線３１を介してアクセルポジションセンサ３５と、ブレーキポジションセンサ３６とに接続されている。アクセルポジションセンサ３５は、乗員の加速要求が入力される入力部である。アクセルポジションセンサ３５は、加速操作が入力される入力部としてのアクセルペダル３７の操作量、例えば踏み込み量を検知して制御部１２へ出力する。アクセルポジションセンサ３５は、アクセルペダル３７が操作されていない状態、つまり加速操作の未入力状態において、零値の操作量を出力し、アクセルペダル３７が完全に踏み込まれた状態、つまり加速操作の全入力状態において、１００パーセントの操作量を出力する。ブレーキポジションセンサ３６は、制動操作が入力されるブレーキペダル３８の操作量、例えば踏み込み量を検知して制御部１２へ出力する。
【００２８】
制御部１２は、発進時や加速時には、高電圧バッテリー１１からモータージェネレーター３へ電力を供給させ、モータージェネレーター３を力行させてエンジン２の駆動力を補助する。また、制御部１２は、慣性走行時や制動時には、モータージェネレーター３を回生させて発電を行い、余剰の運動エネルギーを電力に変換して高電圧バッテリー１１を充電する。
【００２９】
制御部１２は、例えば中央処理装置（Central Processing Unit、ＣＰＵ、図示省略）、中央処理装置で実行（処理）される各種演算プログラム、パラメータなどを記憶する補助記憶装置（例えば、Read Only Memory、ＲＯＭ、図示省略）、プログラムの作業領域が動的に確保される主記憶装置（例えば、Random Access Memory、ＲＡＭ、図示省略）を備えている。
【００３０】
制御部１２で実行されるプログラムとして、アイドルストップ（アイドリングストップ、停車時エンジン停止、No Idling、Idle Reduction、とも呼ばれる。）制御が例示される。アイドルストップ制御は、ハイブリッド車両１の車速がアイドルストップ閾値以下である場合に、エンジン２への燃料の供給を停止し、かつモータージェネレーター３を力行以外の状態にして、つまり高電圧バッテリー１１からモータージェネレーター３への電力供給を遮断するか、モータージェネレーター３が回生トルクを出力して高電圧バッテリー１１を充電するか、いずれかの動作を行いつつエンジン２を停止させる。制御部１２は、駐停車時や、信号待ち時などにアイドルストップ制御を実行する。
【００３１】
そして、制御部１２は、アクセルペダル３７への加速操作が未入力の場合には、エンジン２への燃料の供給を停止させるフューエルカット制御を行うフューエルカット制御部４１と、フューエルカット制御の実行中に、フューエルカット制御の終了条件が成立しているか否かを判断する終了判断部４２と、を備えている。
【００３２】
アイドルストップ制御では、エンジン２への燃料の供給を停止させた後、エンジン２の回転数が零値になるまで、エンジン２への燃料の供給を停止させ続ける一方、フューエルカット制御では、エンジン２への燃料の供給を停止させた後、エンジン２の回転数が零値になる以前に、エンジン２への燃料の供給を復帰させる。フューエルカット制御は、ハイブリッド車両１の車速がアイドルストップ閾値より大きく、かつエンジン２の回転数がアイドル回転数より大きい所定値以上の場合に、実行される。フューエルカット制御では、エンジン２へ混合気を供給するスロットルバルブ（図示省略）を開けておいて、ポンピングロスを低減させても良い。
【００３３】
フューエルカット制御部４１、および終了判断部４２は、いずれも制御部１２で実行されるプログラムである。
【００３４】
フューエルカット制御部４１は、フューエルカット制御の開始、継続、および終了を行う。
【００３５】
終了判断部４２は、フューエルカット制御部４１と協働してフューエルカット制御の終了条件の成否を監視する。終了判断部４２で判断される終了条件は、複数の成立類型を含んでいる。それぞれの成立類型は、少なくとも１つの判断を含んでいる。具体的には、終了条件は、乗員から加速要求があったことを判断に含む第一成立類型と、乗員から加速要求があったか否かに依らず、つまり乗員から加速要求があったことを判断に含まない第二成立類型と、を含んでいる。
【００３６】
なお、「乗員から加速要求があった」とは、例えば加速操作がアクセルペダル３７に入力されたことを意味している。
【００３７】
また、第二成立類型の終了条件は、例えば、乗員から加速要求があったか否かに依らず、かつエンジン２の回転数が所定値（燃料復帰回転数）未満に低下したことを判断に含む。また、他の例として、第二成立類型の終了条件は、例えば、乗員から加速要求があったか否かに依らず、かつ電動パワーステアリング（Electric Power Steering、EPS）のコントローラー（図示省略）から制御部１２へ、エンジン２への燃料供給の再開や、トルクアップが制御部１２へ要求されたことを判断に含む。ハイブリッド車両１がスリップしたり、ハイブリッド車両１の挙動が乱れたりして、スタビリテイコントロールやトラクションコントロールを作動させる必要が生じた場合に、電動パワーステアリングのコントローラーから制御部１２へトルクアップ要求が行われる。
【００３８】
次に、制御部１２で実行されるプログラムとして、フューエルカット制御について詳しく説明する。なお、フューエルカット制御は、エンジン２が始動した後に開始される。
【００３９】
図２は、本発明の実施形態に係るハイブリッド車両が実行するフューエルカット制御のアルゴリズム（算法）を表現したフローチャートである。
【００４０】
図３および図４は、本発明の実施形態に係るハイブリッド車両が実行するフューエルカット制御を表現したタイミングチャートである。
【００４１】
図３は、終了条件の第一成立類型が成立した場合のタイミングチャートである。図４は、終了条件の第二成立類型が成立した場合のタイミングチャートである。
【００４２】
図２から図４に示すように、本実施形態に係るハイブリッド車両１のフューエルカット制御部４１は、終了判断部４２が第一成立類型の成立を判断した場合には、フューエルカット制御を継続し、かつモータージェネレーター３に駆動力を出力させてエンジン２の回転数を目標回転数に制御し、終了判断部４２が第二成立類型の成立を判断した場合には、エンジン２への燃料の供給を再開させる。
【００４３】
また、フューエルカット制御部４１は、モータージェネレーター３に駆動力を出力させてエンジン２の回転数を目標回転数に制御している最中に、エンジン２のクランクシャフト１５の出力トルクが目標トルクを超えた場合には、モータージェネレーター３を力行以外の状態にしてエンジン２への燃料の供給を再開させる。
【００４４】
具体的には、フューエルカット制御部４１は、エンジン２が始動すると、フューエルカット制御の実行条件が成立したか否かを判断する（ステップＳ１）。フューエルカット制御部４１は、ステップＳ１の判断が肯定された場合、つまり、フューエルカット制御の実行条件が成立した場合（ステップＳ１  Ｙｅｓ）には、フューエルカット制御を実行する（ステップＳ２）。フューエルカット制御の実行条件は、例えば、ハイブリッド車両１の車速がアイドルストップ閾値より大きいこと、およびエンジン２の回転数が所定値以上であること、である。換言すると、フューエルカット制御の実行条件は、前述の２つの条件の論理積である。
【００４５】
フューエルカット制御が実行されると、その実行の最中、終了判断部４２は、フューエルカット制御の終了条件が成立したか否かを判断する（ステップＳ３）。ステップＳ３において、終了判断部４２は、複数の成立類型の成否を判断している。つまり、終了判断部４２は、少なくとも第一成立類型、および第二成立類型の成否を判断している。フューエルカット制御部４１は、ステップＳ３の判断が肯定された場合、つまり、フューエルカット制御の終了条件が成立した場合（ステップＳ３  Ｙｅｓ）には、成立した終了条件（あるいはその類型）が乗員の加速要求を含んでいるか否かを判断する（ステップＳ４）。
【００４６】
フューエルカット制御部４１は、ステップＳ４の判断が肯定された場合、つまり、成立した終了条件が乗員の加速要求を含んでいる場合、換言すると第一成立類型の終了条件が成立した場合（ステップＳ４  Ｙｅｓ、図３のａ）には、フューエルカット制御の実行を継続し（ステップＳ５、図３のｂ）、かつモータージェネレーター３に駆動力（トルク）を出力させてエンジン２の回転数を目標回転数に制御する（ステップＳ６、図３のｃ）。なお、目標回転数は、エンジン２のアイドル回転数より高く、かつ所定値（燃料復帰回転数）よりも高い。
【００４７】
次いで、フューエルカット制御部４１は、フューエルカット制御の継続中、かつモータージェネレーター３に駆動力を出力させてエンジン２の回転数を目標回転数に制御している最中に、エンジン２のクランクシャフト１５の出力トルクが目標トルクより大きいか否かを判断する（ステップＳ７）。
【００４８】
ここで、エンジン２のクランクシャフト１５の出力トルクは、［数１］で算出される。
［数１］
（クランクシャフトの出力トルク）＝（エンジン２の出力トルク）−（エンジン２の損失トルク）＋（モータートルク）
（エンジン２の出力トルク）＝（点火気筒数）×MBT（Minimum spark advance for Best Torque）×（点火角による効率）×（空燃比による効率）
（モータートルク）＝（モータージェネレーター３の出力トルク）×（プーリー比）
【００４９】
なお、エンジン２の損失トルクは、エンジン２の回転数とインテークマニホールド圧とのマップ（関係図）から得られる。
【００５０】
フューエルカット制御部４１は、ステップＳ７の判断が肯定された場合、つまり、エンジン２のクランクシャフト１５の出力トルクが目標トルク（例えば零値）より大きい場合（ステップＳ７  Ｙｅｓ、図３のｄ）には、モータージェネレーター３からの駆動力の出力を停止し（力行以外の状態にして）、エンジン２への燃料の供給を再開させる（ステップＳ８、図３のｅ、ｆ）。換言すると、フューエルカット制御部４１は、エンジン２のクランクシャフト１５の出力トルクが目標トルクより大きい場合（ステップＳ７  Ｙｅｓ、図３のｄ）には、フューエルカット制御を終了させる。その後、フューエルカット制御部４１は、一旦制御を終え、再び制御を開始する。
【００５１】
一方、フューエルカット制御部４１は、ステップＳ７の判断が否定された場合、つまり、エンジン２のクランクシャフト１５の出力トルクが目標トルク以下の場合（ステップＳ７  Ｎｏ）には、フューエルカット制御の実行を継続し（ステップＳ５）、かつモータージェネレーター３に駆動力（トルク）を出力させてエンジン２の回転数を目標回転数に制御する。
【００５２】
また、フューエルカット制御部４１は、ステップＳ１の判断が否定された場合、つまり、フューエルカット制御の実行条件が不成立の場合（ステップＳ１  Ｎｏ）には、一旦制御を終え、再び制御を開始する。
【００５３】
さらに、フューエルカット制御部４１は、ステップＳ３の判断が否定された場合、つまり、フューエルカット制御の終了条件が不成立の場合（ステップＳ３  Ｎｏ）には、一旦制御を終え、再び制御を開始する。
【００５４】
また、フューエルカット制御部４１は、ステップＳ４の判断が否定された場合、つまり、成立した終了条件が乗員の加速要求を含んでいない場合、換言すると第二成立類型の終了条件が成立した場合（ステップＳ４  Ｎｏ、図４のａ）には、フューエルカット制御を終了し（ステップＳ９、図４のｆ）、一旦制御を終え、再び制御を開始する。
【００５５】
本実施形態に係るハイブリッド車両１は、第一成立類型の終了条件が成立した場合には、フューエルカット制御を継続し、かつモータージェネレーター３に駆動力を出力させてエンジン２の回転数を目標回転数に制御し、第二成立類型の終了条件が成立した場合には、エンジン２への燃料の供給を再開させる。換言すると、ハイブリッド車両１は、フューエルカット制御の実行中に、乗員の加速操作に依拠するフューエルカットの終了要求がある場合には、モータージェネレーター３を駆動させてエンジン２の回転数を制御する。そのため、ハイブリッド車両１は、乗員の加速操作に依拠するフューエルカットの終了要求（第一成立類型の終了条件に相当する。）がある場合には、駆動輪６へ伝達される駆動力を素早く上昇させ、乗員の加速操作に依拠しないフューエルカットの終了要求（第二成立類型の終了条件に相当する。）がある場合には、高電圧バッテリー１１の電力の消費を抑制できる。
【００５６】
また、本実施形態に係るハイブリッド車両１は、第一成立類型の終了条件が成立してフューエルカット制御を継続し、かつモータージェネレーター３に駆動力を出力させてエンジン２の回転数を目標回転数に制御している最中に、エンジン２のクランクシャフト１５の出力トルクが目標出力より大きい場合には、モータージェネレーター３からの駆動力の出力を停止し（力行以外の状態にして）、エンジン２への燃料の供給を再開させる。そのため、ハイブリッド車両１は、エンジン２への燃料の供給を再開（復帰）する際の衝撃（ショック）を抑制してドライバビリティの向上を図り、かつフューエルカットの再開時における高電圧バッテリー１１の電力の消費量を抑制できる。
【００５７】
したがって、本実施形態に係るハイブリッド車両１は、燃費の向上を担保しつつ、フューエルカットの復帰時における電力の消費量を抑制することができる。
【符号の説明】
【００５８】
１…ハイブリッド車両、２…内燃機関、エンジン、３…電動発動機、モータージェネレーター、６…駆動輪、７…変速機、８…クラッチ、９…差動歯車、１１…高電圧バッテリー、１２…制御部、１５…クランクシャフト、１６…動力伝達機構、１７…出力軸、２１…第一プーリー、２２…第二プーリー、２３…ベルト、２５…高電圧バッテリー、２６…ＤＣ／ＤＣコンバーター、２７…車両電装品、２８…低電圧バッテリー、２９…スターターモーター、３１…信号線、３２…ＭＧコントローラー、３５…アクセルポジションセンサ、３６…ブレーキポジションセンサ、３７…アクセルペダル、３８…ブレーキペダル、４１…フューエルカット制御部、４２…終了判断部。
【図１】
2019209823.tif 000003
【図２】
2019209823.tif 000004
【図３】
2019209823.tif 000005
【図４】
2019209823.tif 000006